(57)【要約】【課題】照明装置において、棒状の光源から放射される光を高効率で有効利用できるとともに直接光が人の眼に入って眩しく感ずることを防止できること。【解決手段】２つの交点Ｋ１，Ｋ２でそれぞれ放物線Ｈ１，Ｈ２を繋ぎ合わせた反射面Ｍ１，Ｍ２を有する１対の反射鏡３Ａ，３Ｂを設けて焦点Ｆに中心を有するように棒状の光源２を設置すると、棒状の光源２から放射された光は平行光線Ｌ１，Ｌ２となって左右に反射される。照明機構１の構成をとることによって、棒状の光源２から放射された光は、その光量の大部分が平行光線Ｌ１，Ｌ２の経路またはこれに近い経路を通って左右に放射され、上下方向への拡がりは僅かである。したがって、反射鏡３Ａ，３Ｂの反射率が１００％であれば、棒状の光源２から放射された光のほぼ１００％を左右に出射する平行光線として利用でき、反射鏡３Ａ，３Ｂに遮られて棒状の光源２からの直接光が正面の人の眼に入ることはない。【選択図】図１
2008262717.tif 000002
【特許請求の範囲】
【請求項１】
列状に配設されるか、または特定方向に放電する棒状の光源と、該棒状の光源を挟んで配置された１対の反射鏡とを有する照明装置において、
前記１対の反射鏡の前記棒状の光源の長手方向に垂直な断面における反射面の線が１対の放物線または１対の略放物線形状の線を互いの交点において二つ繋ぎ合わせた前記交点に変曲点を有する曲線であって、前記断面における１対の反射面の線によってその一部分が形成される前記１対の放物線または前記１対の略放物線形状の線はその焦点を共有しており、前記棒状の光源の軸中心は前記焦点に位置していることを特徴とする照明装置。
【請求項２】
列状に配設されるか、または特定方向に放電する棒状の光源と、該棒状の光源を挟んで配置された１対の反射鏡とを有する照明装置において、
前記１対の反射鏡の前記棒状の光源の長手方向に垂直な断面における反射面の線が１対の放物線を互いの交点において二つ繋ぎ合わせた前記交点に変曲点を有する曲線を近似した屈曲点を有する１対の屈曲した直線であって、前記断面における前記１対の直線がそれぞれ前記放物線の中心軸となす角が１５度〜４０度の範囲内であり、前記棒状の光源の軸中心は相対する前記１対の屈曲点の中間に位置していることを特徴とする照明装置。
【請求項３】
前記１対の放物線または前記１対の略放物線形状の線の中心軸は互いに略１８０度の角度をなしており、前記１対の放物線または前記１対の略放物線形状の線は略対称に配置されていることを特徴とする請求項１または請求項２に記載の照明装置。
【請求項４】
前記棒状の光源は直管の蛍光灯であって、前記照明装置は前記棒状の光源及び前記１対の反射鏡の長手方向が略垂直になるようにまたは垂直から３０度の範囲内の間で傾くように支柱に取付けてなる街路灯であることを特徴とする請求項３に記載の照明装置。
【請求項５】
前記棒状の光源はコンパクト蛍光灯であって、前記照明装置は前記棒状の光源及び前記１対の反射鏡の長手方向が略垂直になるようにまたは垂直から３０度の範囲内の間で傾くように支柱に取付けてなる街路灯であることを特徴とする請求項３に記載の照明装置。
【請求項６】
前記棒状の光源は直管の蛍光灯またはコンパクト蛍光灯であって、前記照明装置は前記棒状の光源及び前記１対の反射鏡の長手方向が略水平になるように室内の天井に設けた凹部内に取付けてなる室内照明装置であることを特徴とする請求項３に記載の照明装置。
【発明の詳細な説明】
【技術分野】
【０００１】
本発明は、屋内において間接照明として及び屋外において街路灯として用いることができ、光源から放射される光を高効率で有効利用できる照明装置に関するものである。
【背景技術】
【０００２】
従来、照明装置において、光源からの直接光の人の眼への入射を避けて、壁面や天井面を均斉度良く照射する間接照明の技術として、ウォールウォッシャーや、天井掘り込みに納めた照明器具によって壁面への間接照明を行うコーニス照明、折り上げ天井の間接照明等の手法が知られている。近年、このような間接照明技術においては、照射面における照明の均斉度、すなわち明るさのムラやスジのない均一な照明についての要求がより厳しくなっている。
【０００３】
そこで、特許文献１においては、壁面に接近して設けられ、下面側に設けられた透光開口から壁面を照明する照明器具であって、放物線または楕円を含む略放物線状曲線の断面形状を有する反射鏡を備え、反射鏡の焦点に光源を有し、反射鏡の光軸の傾きが壁面方向に０度から１０度の間となるようにした照明器具の発明について開示している。これによって、光源からの光を有効利用するとともに光源からの光に指向性を持たせることができ、更に照射面の広範囲に亘って均斉度良く照明を行うことができるとしている。
【特許文献１】特開２００３−２８１９１０号公報
【発明の開示】
【発明が解決しようとする課題】
【０００４】
しかしながら、上記特許文献１に記載された技術においては、壁面に接近して設けられた照明器具によって壁面を照明するものであり、壁面から離れた机の上等をも照明する間接照明としては応用できない。一方、屋外に設置される街路灯においては、蛍光灯や水銀灯が光源として用いられるが、光が全方向に放射されるため照明する必要のない場所まで照明され、照明したい道路沿いには近距離までしか光が届かず、また輝度の高い水銀灯は自動車のドライバー等には眩しさを感じさせるという問題点があった。
【０００５】
そこで、本発明は、壁面から離れた室内の間接照明のみならず、屋外に設置される街路灯としても応用でき、光源から放射される光を高効率で有効利用できるとともに直接光が人の眼に入って眩しく感ずることを防止できる照明装置を提供することを課題とするものである。
【課題を解決するための手段】
【０００６】
請求項１の発明に係る照明装置は、列状に配設されるか、または特定方向に放電する棒状の光源と、該棒状の光源を挟んで配置された１対の反射鏡とを有する照明装置において、前記１対の反射鏡の前記棒状の光源の長手方向に垂直な断面における反射面の線が１対の放物線または１対の略放物線形状の線を互いの交点において二つ繋ぎ合わせた前記交点に変曲点を有する曲線であって、前記断面における１対の反射面の線によってその一部分が形成される前記１対の放物線または前記１対の略放物線形状の線はその焦点を共有しており、前記棒状の光源の軸中心は前記焦点に位置しているものである。
【０００７】
ここで、棒状の光源とは、ＬＥＤ等を列状に配設されたもの、または特定方向に放電する放電灯、例えば、水銀灯または蛍光灯等の棒状に光を出力する光源を意味する。また、略放物線形状の線とは、放物線に近似する曲線を始め、双曲線・楕円またはこれらに近似する曲線をいう。
【０００８】
請求項２の発明に係る照明装置は、列状に配設されるか、または特定方向に放電する棒状の光源と、該棒状の光源を挟んで配置された１対の反射鏡とを有する照明装置において、前記１対の反射鏡の前記棒状の光源の長手方向に垂直な断面における反射面の線が１対の放物線を互いの交点において二つ繋ぎ合わせた前記交点に変曲点を有する曲線を近似した屈曲点を有する１対の屈曲した直線であって、前記断面における前記１対の直線がそれぞれ前記放物線の中心軸となす角が１５度〜４０度の範囲内であり、前記棒状の光源の軸中心は相対する前記１対の屈曲点の中間に位置しているものである。
【０００９】
請求項３の発明に係る照明装置は、請求項１または請求項２の構成において、前記１対の放物線または前記１対の略放物線形状の線の中心軸は互いに略１８０度の角度をなしており、前記１対の放物線または前記１対の略放物線形状の線は略対称に配置されているものである。
【００１０】
請求項４の発明に係る照明装置は、請求項３の構成において、前記棒状の光源は直管の蛍光灯であって、前記照明装置は前記棒状の光源及び前記１対の反射鏡の長手方向が略垂直になるようにまたは垂直から３０度の範囲内の間で傾くように支柱に取付けてなる街路灯であるものである。
【００１１】
請求項５の発明に係る照明装置は、請求項３の構成において、前記棒状の光源はコンパクト蛍光灯であって、前記照明装置は前記棒状の光源及び前記１対の反射鏡の長手方向が略垂直になるようにまたは垂直から３０度の範囲内の間で傾くように支柱に取付けてなる街路灯であるものである。
【００１２】
ここで、コンパクト蛍光灯とは、口金が一方にしかない長さの短い蛍光灯をいい、平行に並んだ２本の細い蛍光管が先端で接続されて先端と反対側の端に口金を有するいわゆるツイン蛍光灯や、細い蛍光管をＵ字形状に折り曲げた形状を有するいわゆるＵ字形蛍光灯、等がある。
【００１３】
請求項６の発明に係る照明装置は、請求項３の構成において、前記棒状の光源は直管の蛍光灯またはコンパクト蛍光灯であって、前記照明装置は前記棒状の光源及び前記１対の反射鏡の長手方向が略水平になるように室内の天井に設けた凹部内に取付けてなる室内照明装置であるものである。
【発明の効果】
【００１４】
請求項１の発明に係る照明装置は、列状に配設されるか、または特定方向に放電する棒状の光源と、棒状の光源を挟んで配置された１対の反射鏡とを有する照明装置であって、１対の反射鏡の棒状の光源の長手方向に垂直な断面における反射面の線が１対の放物線または１対の略放物線形状の線を互いの交点において二つ繋ぎ合わせた交点に変曲点を有する曲線であって、断面における１対の反射面の線によってその一部分が形成される１対の放物線または１対の略放物線形状の線はその焦点を共有しており、棒状の光源の軸中心は焦点に位置している。
【００１５】
ここで、棒状の光源とは、ＬＥＤ等を列状に配設されたもの、または特定方向に放電する放電灯、例えば、水銀灯または蛍光灯等の棒状に光を出力する光源を意味する。また、略放物線形状の線とは、放物線に近似する曲線を始め、双曲線・楕円またはこれらに近似する曲線をいう。
【００１６】
放物線をその軸周りに回転させて形成される放物面を反射面とした場合に、焦点から出て放物面で反射された光線は、軸に平行な反射光線となることが知られている。したがって、焦点を共有する１対の放物線をそれらの二つの交点で繋ぎ合わせて形成される交点を変曲点とする１対の曲線を反射面とした場合には、焦点から出てこれらの曲線で反射された光線は、いずれか一方の放物線の中心軸に平行な反射光線となって出射する。
【００１７】
本発明に係る照明装置は、この原理を応用したものであり、棒状の光源の軸中心をこの焦点に位置させることによって、棒状の光源から放射された光線は断面が放物面または略放物線形状の線からなる反射面で反射されて、中心軸に平行なまたはほぼ平行な反射光線となって出射するため、棒状の光源から放射された光を最大限に有効利用することができ、かつ、照明装置の正面に位置する人からは１対の反射鏡のいずれか一方によって棒状の光源が遮られるため、正面に位置する人の眼に棒状の光源からの直接光が入る事態が防止される。
【００１８】
ここで、１対の放物線または１対の略放物線形状の線は、それらの中心軸が互いに１８０度をなすような対称の位置に配置されるとは限らず、対称の位置からそれらの中心軸が互いに９０度をなすような直角の位置までの間の、いずれかの位置に配置されるものであれば、室内の間接照明や屋外の街路灯を始めとする実用的な照明装置として使用することができる。
【００１９】
すなわち、棒状の光源と１対の反射鏡とを天井に略水平に設置して、中心軸に平行なまたはほぼ平行な反射光線となって出射する方向に反射光線を下方に乱反射するような面を設けておけば、柔らかい光線で室内の中央をも照明することができる間接照明として用いることができる。また、棒状の光源と１対の反射鏡とを、屋外の道路わきに立設された支柱の上に略垂直に固定すれば、中心軸に平行なまたはほぼ平行な反射光線となって出射する方向を遠方まで照明できる街路灯として用いることができる。
【００２０】
このようにして、壁面から離れた室内の間接照明のみならず、屋外に設置される街路灯としても応用でき、光源から放射される光を高効率で有効利用できるとともに直接光が人の眼に入って眩しく感ずることを防止できる照明装置となる。
【００２１】
請求項２の発明に係る照明装置は、列状に配設されるか、または特定方向に放電する棒状の光源と、棒状の光源を挟んで配置された１対の反射鏡とを有する照明装置において、１対の反射鏡の棒状の光源の長手方向に垂直な断面における反射面の線が１対の放物線を互いの交点において二つ繋ぎ合わせた交点に変曲点を有する曲線を近似した屈曲点を有する１対の屈曲した直線であって、断面における１対の直線がそれぞれ放物線の中心軸となす角が１５度〜４０度の範囲内、より好ましくは２０度〜３０度の範囲内であり、棒状の光源の軸中心は相対する１対の屈曲点の中間に位置している。
【００２２】
請求項１に係る発明について説明したように、断面が放物線の反射面は放物線の焦点から放射された光線を平行光線として反射するが、放物線は焦点から離れるにしたがって緩やかな曲線となるため、直線で近似することができる。そこで、本発明者が鋭意実験研究を重ねた結果、放物線の中心軸となす角度が１５度〜４０度の範囲内の場合には、断面が放物線の一部からなる反射面を直線で近似した反射面としても、放物線の中心軸と平行な方向から外れて拡散する角度は僅かであり、充分反射光線を平行方向に集めることができることを見出した。
【００２３】
本発明に係る照明装置は、かかる知見に基づいて完成されたものであり、断面が放物線の反射面を断面が直線の反射面であって、放物線の中心軸となす角度が１５度〜４０度の範囲内の直線で近似することによって、１対の反射鏡の製作がより容易になり、しかも断面が放物線の反射面を有する反射鏡よりは劣るが、充分に実用的な程度に棒状の光源から放射された光を平行方向に近い方向に集めることができる。
【００２４】
したがって、請求項１に係る発明の照明装置と同様に、室内の間接照明や屋外の街路灯を始めとする実用的な照明装置として使用することができる。更に、断面が放物線の反射面を放物線の中心軸となす角度が２０度〜３０度の範囲内の直線で近似することによって、反射光線の平行方向からの拡がり角はより小さくなるため、より高効率で棒状の光源から放射される光を利用できるため、より好ましい。
【００２５】
このようにして、壁面から離れた室内の間接照明のみならず、屋外に設置される街路灯としても応用でき、光源から放射される光を高効率で有効利用できるとともに直接光が人の眼に入って眩しく感ずることを防止でき、反射鏡の製作がより容易な照明装置となる。
【００２６】
請求項３の発明に係る照明装置においては、１対の放物線または１対の略放物線形状の線の中心軸は互いに略１８０度の角度をなしており、１対の放物線または１対の略放物線形状の線は略対称に配置されている。
【００２７】
上述したように、棒状の光源と１対の反射鏡とを天井に略水平に設置して、中心軸に平行なまたはほぼ平行な反射光線となって出射する方向に反射光線を下方に乱反射するような面を設けておけば、柔らかい光線で室内の中央をも照明することができる間接照明として用いることができる。また、棒状の光源と１対の反射鏡とを、屋外の道路わきに立設された支柱の上に略垂直に固定すれば、中心軸に平行なまたはほぼ平行な反射光線となって出射する方向を遠方まで照明できる街路灯として用いることができる。
【００２８】
これらの場合には、棒状の光源と１対の反射鏡から二方向に放射される光線が互いに逆方向を向いていた方が、間接照明として用いる場合にも天井における設置スペースを最小限にすることができ、街路灯として用いる場合にも直線状である場合が多い道路に沿って、両側を遠方まで照明することができて使い勝手が良くなる。したがって、室内照明装置や街路灯に応用する場合には、１対の放物線または１対の略放物線形状の線の中心軸が互いに略１８０度の角度をなし、二方向に放射される平行光線が互いに略１８０度の角度をなしていることがより好ましい。
【００２９】
このようにして、壁面から離れた室内の間接照明としても、屋外に設置される街路灯としてもより効率的に応用することができ、光源から放射される光を高効率で有効利用できるとともに直接光が人の眼に入って眩しく感ずることを防止できる照明装置となる。
【００３０】
請求項４の発明に係る照明装置においては、二方向に放射される平行光線が互いに略１８０度の角度をなしており、棒状の光源が直管の蛍光灯であって、照明装置が棒状の光源及び１対の反射鏡の長手方向が略垂直になるようにまたは垂直から３０度の範囲内、より好ましくは垂直から２０度の範囲内の間で傾くように支柱に取付けてなる街路灯である。
【００３１】
上述したように、街路灯として応用する場合には、棒状の光源及び１対の反射鏡から二方向に放射される平行光線が互いに略１８０度の角度をなしていれば、大部分が直線状である道路沿いを両方向に遠方まで照明することができて有利であり、また棒状の光源として直管の蛍光灯を用いることによって、低コストで製造することができてランニングコストも安くでき、本発明の照明装置は棒状の光源から放射される光を高効率で有効利用できるため、蛍光灯でも充分に遠方まで照明することができる。
【００３２】
また、棒状の光源及び１対の反射鏡の長手方向が略垂直になるように支柱に取付けることによって、必要な道路沿いのみを照明することができ、また道路の中央部分をも照明する必要がある場合には、垂直から３０度の範囲内の間で、棒状の光源及び１対の反射鏡の長手方向が道路の中央を向くように傾けて支柱に取付ければ、１対の反射鏡の下方から放射される光によって道路の中央部分をも照明することができる。
【００３３】
そして、棒状の光源及び１対の反射鏡の長手方向の傾きを垂直から３０度の範囲内、より好ましくは垂直から２０度の範囲内の間とすることによって、道路を通行する自動車のドライバー等の眼に直管の蛍光灯の直接光が入ることが確実に防止され、自動車のドライバー等が眩しさを感ずることもない。
【００３４】
更に、郊外等の稲田の多い地域においては、夜間の照明が稲の生育を妨げて収穫量を減少させることから、従来の街路灯が道路に近接した稲田をも明るく照明することが問題となっており、その対策として街路灯にタイマーを設けて、真夜中には街路灯を消灯させるという方策が採られていた。しかし、本発明に係る街路灯においては、上述したように道路沿いに平行な方向のみを照明して、照明する必要のない道路に近接した稲田等は照明しないのでこのような方策を採る必要もなく、一晩中点灯させることができる。
【００３５】
このようにして、屋外に設置される街路灯としてより効率的に応用することができ、光源から放射される光を高効率で有効利用できて遠方まで照明することができるために、街路灯の設置間隔を大幅に拡げることができて街路灯の設置本数を減らすことができ、棒状の光源として直管の蛍光灯を用いることによってランニングコストも低減することができるとともに直接光が人の眼に入って眩しく感ずることを防止できる照明装置となる。
【００３６】
請求項５の発明に係る照明装置においては、二方向に放射される平行光線が互いに略１８０度の角度をなしており、棒状の光源がコンパクト蛍光灯であって、照明装置が棒状の光源及び１対の反射鏡の長手方向が略垂直になるようにまたは垂直から３０度の範囲内、より好ましくは垂直から２０度の範囲内の間で傾くように支柱に取付けてなる街路灯である。
【００３７】
ここで、コンパクト蛍光灯とは、口金が一方にしかない長さの短い蛍光灯をいい、平行に並んだ２本の細い蛍光管が先端で接続されて先端と反対側の端に口金を有するいわゆるツイン蛍光灯や、細い蛍光管をＵ字形に折り曲げた形状を有するいわゆるＵ字形蛍光灯、等がある。
【００３８】
上述したように、街路灯として応用する場合には、棒状の光源及び１対の反射鏡から二方向に放射される平行光線が互いに略１８０度の角度をなしていれば、大部分が直線状である道路沿いを両方向に遠方まで照明することができて有利であり、また棒状の光源としてコンパクト蛍光灯を用いることによって、低コストで製造することができ、本発明の照明装置は棒状の光源から放射される光を高効率で有効利用できるため、コンパクト蛍光灯でも充分に遠方まで照明することができる。
【００３９】
その他、本発明に係る照明装置としての街路灯は、上述した請求項４の発明に係る照明装置としての街路灯と同様の作用効果を奏するものである。更に、本発明に係る照明装置としての街路灯においては、片側のみに口金を有するコンパクト蛍光灯を棒状の光源として用いているため、直管の蛍光灯のように下方に蛍光灯ソケットを設ける必要がなく、下方を遮るものが何もないため、街路灯の真下への照明がより均斉度の高いものとなる。
【００４０】
加えて、コンパクト蛍光灯を棒状の光源としたことによって、コンパクト蛍光灯の長さは同等の照度を有する直管の蛍光灯の約半分の長さとなるため、１対の反射鏡の長さも約半分で済み、製造コストを更に低減することができるという作用効果が得られる。
【００４１】
このようにして、屋外に設置される街路灯としてより効率的に応用することができ、光源から放射される光を高効率で有効利用できて遠方まで照明することができるために、街路灯の設置間隔を大幅に拡げることができて街路灯の設置本数を減らすことができ、棒状の光源としてコンパクト蛍光灯を用いることによってランニングコストも低減することができるとともに直接光が人の眼に入って眩しく感ずることを防止できる照明装置となる。
【００４２】
請求項６の発明に係る照明装置においては、二方向に放射される平行光線が互いに略１８０度の角度をなしており、棒状の光源が直管の蛍光灯またはコンパクト蛍光灯であって、照明装置が棒状の光源及び１対の反射鏡の長手方向が略水平になるように室内の天井に設けた凹部内に取付けてなる室内照明装置である。
【００４３】
上述したように、室内照明装置として応用する場合には、棒状の光源及び１対の反射鏡から二方向に放射される平行光線が互いに略１８０度の角度をなしていれば、天井における設置スペースを最小限にすることができて有利であり、棒状の光源と１対の反射鏡とを天井に略水平に設置して、反射光線及び直管の蛍光灯からの直接光が出射する二方向に反射光線を下方に乱反射するような斜面を設けておけば、柔らかい光線で室内の中央をも照明することができる間接照明として用いることができる。
【００４４】
また、棒状の光源として直管の蛍光灯またはコンパクト蛍光灯を用いることによって、低コストで製造することができてランニングコストも安くでき、本発明の照明装置は棒状の光源から放射される光を高効率で有効利用できるため、蛍光灯でも充分に広い範囲を間接照明することができる。そして、天井に設けられた直管の蛍光灯またはコンパクト蛍光灯は、１対の反射鏡の一方によってその下面が覆われているため、直管の蛍光灯またはコンパクト蛍光灯からの直接光が室内の人の眼に直接入る恐れはない。
【００４５】
このようにして、室内に設置される間接照明としてより効率的に応用することができ、光源から放射される光を高効率で有効利用できて広い範囲を照明することができるために、室内照明の設置間隔を大幅に拡げることができて室内照明の設置数を減らすことができ、棒状の光源として直管の蛍光灯またはコンパクト蛍光灯を用いることによってランニングコストも低減することができるとともに直接光が人の眼に入って眩しく感ずることを防止できる照明装置となる。
【発明を実施するための最良の形態】
【００４６】
以下、本発明に係る照明装置の実施の形態について、図面を参照しつつ説明する。なお、実施の形態２以降において、実施の形態１の部分と同一の記号及び同一の符号は、実施の形態１と同一または相当する機能部分を意味し、実施の形態相互の同一の記号及び同一の符号は、それら実施の形態に共通する機能部分であるから、ここでは重複する詳細な説明を省略する。
【００４７】
実施の形態１
まず、本発明の実施の形態１に係る照明装置について、図１乃至図４を参照して説明する。図１（ａ），（ｂ）は本発明の実施の形態１に係る照明装置としての街路灯の照明の原理を示す説明図である。図２は本発明の実施の形態１に係る照明装置としての街路灯の全体構成を示す斜視図である。図３は本発明の実施の形態１に係る照明装置としての街路灯の本体の全体構成を示す底面図である。図４（ａ）は本発明の実施の形態１に係る照明装置としての街路灯の照明の様子を示す平面図、（ｂ）は正面図である。
【００４８】
図１（ａ）に示されるように、放物線Ｈ１の焦点Ｆから放物線Ｈ１に向かって直線を引いたときに、該直線の放物線Ｈ１への入射角と同じ出射角で反射すると考えると、焦点Ｆから出て放物線Ｈ１で反射した直線は全て放物線Ｈ１の中心軸Ｃに平行な平行線となることが知られている。したがって、焦点Ｆに紙面に垂直に伸びる線状の光源をおいて、断面が放物線Ｈ１となる紙面に垂直に伸びる反射鏡を設けた場合には、反射光は全て放物線Ｈ１の中心軸Ｃに平行な平行光線となる。
【００４９】
ここで、図１（ａ）に示されるように、放物線Ｈ１を１８０度回転させた焦点Ｆ及び中心軸Ｃを共有する放物線Ｈ２を考えると、焦点Ｆから出て放物線Ｈ２で反射した反射光は、やはり全て放物線Ｈ２の中心軸Ｃに平行な平行光線となる。したがって、放物線Ｈ１と放物線Ｈ２の２つの交点Ｋ１，Ｋ２でそれぞれ放物線Ｈ１と放物線Ｈ２を繋ぎ合わせた、図１（ｂ）に示される反射面Ｍ１，Ｍ２を有する１対の反射鏡３Ａ，３Ｂを設けて、焦点Ｆに軸中心を有するように棒状の光源２を設置すると、棒状の光源２から放射された光は、図１（ｂ）に示されるように、平行光線Ｌ１，Ｌ２となって左右に反射されることになる。
【００５０】
なお、列状に配設されるか、または特定方向に放電する棒状の光源２は実際には理想的な線光源ではなく、大きさ（太さ）を有しているため、実際には反射鏡３Ａ，３Ｂで反射される光のうちには、図１（ｂ）に示されるような平行光線Ｌ１，Ｌ２のみでなく、図の上下方向に拡がって反射される光も含まれ、また棒状の光源２から反射鏡３Ａ，３Ｂに当たらずに直接左右に放射される光も含まれるが、図１（ｂ）においては、分かり易くするために棒状の光源２から放射された光のうち、焦点Ｆから出たように放射されて反射鏡３Ａ，３Ｂで反射される光のみを示している。
【００５１】
このように、図１（ｂ）に示されるように理想的な平行光線Ｌ１，Ｌ２のみではないが、図１（ｂ）に示される照明機構１の構成をとることによって、棒状の光源２から放射された光は、その光量の大部分が平行光線Ｌ１，Ｌ２の経路またはこれに近い経路を通って左右に放射され、図の上下方向へ拡がる光量は僅かである。したがって、反射鏡３Ａ，３Ｂの反射率が１００％であれば、棒状の光源２から放射された光の大部分を左右に出射する平行光線として利用できることになる。
【００５２】
この原理を応用したのが、図２乃至図４に示される本実施の形態１に係る照明装置としての街路灯１０である。図２に示されるように、本実施の形態１に係る照明装置としての街路灯１０は、高さ約４．５ｍの支柱９の上端に図１（ｂ）に示される照明機構１を中心としてなる照明ボックス５を固定したものである。図２に示されるように、照明ボックス５は、棒状の光源２として直管の蛍光灯を垂直に配置し、反射鏡３Ａ，３Ｂとしてアルミニウム板の片面を研磨して反射面として、図１（ｂ）に示される所定の形状に湾曲させたものを用いている。
【００５３】
照明ボックス５の上下には、棒状の光源としての直管の蛍光灯２をその両端の口金で固定するとともに電流を供給する蛍光灯ソケット６Ａ，６Ｂが設けられており、照明ボックス５の上部に設けられた配電部７の中には、直管の蛍光灯２を点灯させるためのグローランプ、周囲が暗くなったことを感知してグローランプのスイッチを入れる光センサ（ＰＤ，フォトダイオード）８、これらを作動させるための配線等が設けられており、照明ボックス５に外部から電力を供給する図示しない電力ケーブルが支柱９を介して接続されている。
【００５４】
照明ボックス５の１対の反射鏡３Ａ，３Ｂの左右の開口部（光放射部）は、道路に略平行になるように設置されている。また、左右の開口部及び底面は、光透過率の高い透明アクリル板５Ａでシールされており、雨水等の内部への侵入を防ぐとともに、昆虫類等の小さい虫類が光に引き寄せられて内部に侵入するのを防止している。
【００５５】
また、図３の底面図に示されるように、照明ボックス５は、上部に設けられた配電部７の配電カバー７Ａの背面に固定された２本の金属棒９Ａ（うち１本は重なって図示されない）によって、支柱９の上端に固定されている。そして、１対の反射鏡３Ａ，３Ｂの間の底面も光透過率の高い透明アクリル板５Ａでシールされているため、照明ボックス５の真下方向にも直管の蛍光灯２からの放射光や反射鏡３Ａ，３Ｂで反射された反射光が放射される。
【００５６】
このような構成を有する本実施の形態１に係る照明装置としての街路灯１０においては、夕暮れになって周囲が暗くなると、光センサ８が暗くなったことを感知して配電部７の中のグローランプのスイッチが入り、グローランプが点滅して直管の蛍光灯２が点灯する。すると、図４（ａ）の平面図に示されるように、街路灯１０から道路Ｇに平行な方向を中心として照明され、自動車が通行する道路Ｇの中央や道路Ｇの外側の宅地や田畑等の照明する必要のない場所は殆ど照明されない。
【００５７】
また、図４（ｂ）の正面図に示されるように、照明ボックス５の底面も透明になっているため、街路灯１０の下方の部分も充分に照明される。そして、街路灯１０の前方は反射鏡３Ａで覆われているために、直接光が前方に照射されることがなく、自動車のドライバー等の眼に直接光が入って眩しくなるという事態が確実に防止される。
【００５８】
そして街路灯１０においては、直管の蛍光灯２から放射される光をほぼ１００％有効利用しているため、道路Ｇに平行な方向を遠方まで照明することができ、従来の街路灯よりも設置間隔を大幅に拡大することができる。したがって、街路灯１０は従来の街路灯よりも設置本数を大幅に減らすことができ、設置コスト及びランニングコストを大幅に削減することができる。
【００５９】
更に、郊外等の稲田の多い地域においては、夜間の照明が稲の生育を妨げて収穫量を減少させることから、従来の街路灯が道路に近接した稲田をも明るく照明することが問題となっており、その対策として街路灯にタイマーを設けて、真夜中には街路灯を消灯させるという方策が採られていた。しかし、本実施の形態１に係る街路灯１０においては、上述したように道路Ｇに平行な方向のみを照明して、照明する必要のない道路Ｇに近接した稲田は照明しないのでこのような方策を採る必要もなく、一晩中点灯させることができる。
【００６０】
このようにして、本実施の形態１に係る照明装置としての街路灯１０においては、棒状の光源としての直管の蛍光灯２から放射される光を高効率で有効利用でき、設置コスト及びランニングコストを大幅に削減することができるとともに直接光が人の眼に入ることを確実に防止でき、更に照明する必要のない場所は照明しない理想的な街路灯となる。
【００６１】
実施の形態２
次に、本発明の実施の形態２に係る照明装置について、図５及び図６を参照して説明する。図５は本発明の実施の形態２に係る照明装置としての街路灯の全体構成を示す斜視図である。図６は本発明の実施の形態２に係る照明装置としての街路灯の本体を示す底面図である。
【００６２】
図５に示されるように、本実施の形態２に係る照明装置としての街路灯１１は、上記実施の形態１に係る街路灯１０と同様に、高さ約４．５ｍの支柱９の上端に照明ボックス１５を固定したものであり、照明ボックス１５の基本的な構成は上記実施の形態１に係る照明ボックス５と類似している。但し、本実施の形態２に係る照明ボックス１５においては、棒状の光源として、コンパクト蛍光灯としての、直管の蛍光灯２の約半分の長さの蛍光管２本が先端で接続されて先端と反対側の端に口金を有する、いわゆるツイン蛍光灯１２を用いている。
【００６３】
このツイン蛍光灯１２の軸中心Ｆ１を中心として、１対の反射鏡１３Ａ，１３Ｂが設けられており、これらの反射鏡１３Ａ，１３Ｂの反射面の断面は、上記実施の形態１に係る照明ボックス５と同様に、ツイン蛍光灯１２の軸中心Ｆ１を共有の焦点とする１対の放物線を繋ぎ合わせた形状となっている。但し、図５に示されるように、背面側の反射鏡１３Ｂの下部のみは、下方を向いた曲面１３Ｃとなっている。
【００６４】
また、図６の底面図に示されるように、照明ボックス１５は、上部に設けられた配電部７の配電カバー７Ａの背面に固定された２本の金属棒９Ａ（うち１本は重なって図示されない）によって、支柱９の上端に固定されている。そして、１対の反射鏡１３Ａ，１３Ｂの間の底面も光透過率の高い透明アクリル板１５Ａでシールされているため、照明ボックス１５の真下方向にもツイン蛍光灯１２からの放射光や反射鏡３Ａ，３Ｂで反射された反射光が放射される。
【００６５】
このような構成を有する本実施の形態２に係る街路灯１１においては、図６に示されるように、ツイン蛍光灯１２の軸中心Ｆ１から放射されたように見える方向にツイン蛍光灯１２の表面から放射された光は、１対の反射鏡１３Ａ，１３Ｂで反射されて平行光線Ｌ３，Ｌ４として照明ボックス１５の左右方向に出射する。
【００６６】
なお、ツイン蛍光灯１２は理想的な線光源ではなく、大きさ（太さ）を有しているため、実際には反射鏡１３Ａ，１３Ｂで反射される光のうちには、図６に示されるような平行光線Ｌ３，Ｌ４のみでなく図６の上下方向に拡がって反射される光も含まれるが、図６においては分かり易くするために、ツイン蛍光灯１２から放射された光のうち、焦点Ｆ１から出たように放射されて反射鏡１３Ａ，１３Ｂで反射される光線Ｌ３，Ｌ４及びツイン蛍光灯１２から直接平行方向に放射される光線のみを示している。
【００６７】
このように、図６に示されるように理想的な平行光線Ｌ３，Ｌ４のみではないが、図６に示される照明ボックス１５の構成をとることによって、ツイン蛍光灯１２から放射された光は、その光量の大部分が平行光線Ｌ３，Ｌ４の経路またはこれに近い経路を通って左右に放射され、図６の上下方向へ拡がる光量は僅かである。したがって、反射鏡１３Ａ，１３Ｂの反射率が１００％であれば、ツイン蛍光灯１２から放射された光の大部分を左右に出射する平行光線として利用できることになる。
【００６８】
したがって、本実施の形態２に係る街路灯１１から照射される光によって、上記実施の形態１と同様に図４（ａ），（ｂ）に示されるように、道路Ｇに平行な方向を中心として照明され、自動車が通行する道路Ｇの中央や道路Ｇの外側の宅地や田畑等の照明する必要のない場所は殆ど照明されない。また、照明ボックス１５の底面も透明になっているため、街路灯１１の下方の部分も充分に照明される。
【００６９】
更に、本実施の形態２に係る街路灯１１に特有の効果として、棒状の光源としてコンパクト蛍光灯としてのツイン蛍光灯１２を用いたことによって、下方に蛍光灯ソケットが設けられていないことから、上記実施の形態１に係る街路灯１０の場合には下方の蛍光灯ソケット６Ｂによって下方に放射される光の一部が遮られて影ができていたのが、本実施の形態２に係る街路灯１１の場合にはそのような影が生ずることなく、街路灯１１の真下の照明の均斉度が向上するという効果が得られる。
【００７０】
また、ツイン蛍光灯１２は直管の蛍光灯２の約半分の長さしかないことから、反射鏡１３Ａ，１３Ｂの長さも上記実施の形態１に係る反射鏡３Ａ，３Ｂの長さの約半分で済み、製造コストがより低減されるという効果も得られる。そして、背面の反射鏡１３Ｂの下部を下方を向いた曲面１３Ｃとしたことによって、街路灯１１の下方がより明るく照明されるという効果も得ることができる。
【００７１】
このようにして、本実施の形態２に係る照明装置としての街路灯１１においては、棒状の光源としてのツイン蛍光灯１２から放射される光を高効率で有効利用でき、設置コスト及びランニングコストを大幅に削減することができるとともに直接光が人の眼に入ることを確実に防止でき、更に照明する必要のない場所は照明せず、なおかつ街路灯１１の下方がより明るく照明され、製造コストもより低減できる理想的な街路灯となる。
【００７２】
実施の形態３
次に、本発明の実施の形態３に係る照明装置について、図７乃至図９を参照して説明する。図７は本発明の実施の形態３に係る照明装置としての街路灯の全体構成を示す斜視図である。図８は本発明の実施の形態３に係る照明装置としての街路灯の本体の内部を示す部分縦断面図である。図９（ａ）は本発明の実施の形態３に係る照明装置としての街路灯の照明の様子を示す平面図、（ｂ）は正面図である。
【００７３】
図７に示されるように、本実施の形態３に係る照明装置としての街路灯２０は、上記実施の形態１，２に係る街路灯１０，１１と同様に、高さ約４．５ｍの支柱９の上端に照明ボックス２５を固定したものであり、照明ボックス２５の基本的な構成は上記実施の形態２に係る照明ボックス１５と類似している。すなわち、棒状の光源としてコンパクト蛍光灯としてのツイン蛍光灯１２を用いており、このツイン蛍光灯１２を挟んで１対の反射鏡２３Ａ，２３Ｂが配置されている。
【００７４】
これら１対の反射鏡２３Ａ，２３Ｂは、やはりアルミニウム板の片面を研磨して反射面として、所定の形状に湾曲させたものを用いている。本実施の形態３に係る照明ボックス２５が上記実施の形態２に係る照明ボックス１５と大きく異なるのは、これら１対の反射鏡２３Ａ，２３Ｂの間に、各５枚の反射板２４を互いに間隔をおいて斜めに取付けた点である。これら合計１０枚の反射板２４も、アルミニウム板の片面を研磨して鏡面としたものであり、鏡面が下面になっている。
【００７５】
図８に示されるように、これら各５枚の反射板２４の外側の端にはステンレスの針金２４ａが貫通しており、各反射板２４の間には間隔を保持するための細いプラスチックのストロー２４ｂがステンレスの針金２４ａに通されて取付けられ、各反射板２４が斜めを向いた状態でステンレスの針金２４ａの貫通部分がエポキシ系接着剤で固定されている。なお、各反射板２４の傾斜角度は、中心に向かって狭まっている１対の反射鏡２３Ａ，２３Ｂに反射板２４の両辺が当接する位置によって決定される。
【００７６】
このような構成を有する本実施の形態３に係る照明装置としての街路灯２０においては、夕暮れになって周囲が暗くなると、光センサ８が暗くなったことを感知して配電部７の中のグローランプのスイッチが入り、グローランプが点滅してツイン蛍光灯１２が点灯する。すると、図９（ａ）の平面図に示されるように、街路灯２０から道路Ｇに平行な方向を中心として照明され、自動車が通行する道路Ｇの中央や道路Ｇの外側の宅地や田畑等の照明する必要のない場所は殆ど照明されない。
【００７７】
また、図９（ｂ）の正面図に示されるように、照明ボックス２５の底面も透明になっているため、街路灯２０の下方の部分も充分に照明される。そして、１対の反射鏡２３Ａ，２３Ｂの間に各５枚の反射板２４が互いに間隔をおいて斜めに取付けられているために、図９（ｂ）の正面図に示されるように、上方に向かう光はほぼ１００％がこれらの各５枚の反射板２４によって下方に反射され、上方に向かう無駄な光も全て道路沿いを照明するために利用される。
【００７８】
これによって、ツイン蛍光灯１２から放射される光がより有効利用されるとともに、夜間に無駄な光が夜空を照らす、いわゆる「光害」をも抑制することができる。更に、街路灯２０の正面は反射鏡２３Ａで覆われているために、ツイン蛍光灯１２からの直接光が正面に照射されることがなく、自動車のドライバー等の眼に直接光が入って眩しくなるという事態が確実に防止される。
【００７９】
そして街路灯２０においては、ツイン蛍光灯１２から放射される光をほぼ１００％有効利用しているため、道路Ｇに平行な方向を遠方まで照明することができ、従来の街路灯よりも設置間隔を大幅に拡大することができる。したがって、街路灯２０は従来の街路灯よりも設置本数を大幅に減らすことができ、設置コスト及びランニングコストを大幅に削減することができる。
【００８０】
更に、郊外等の稲田の多い地域においては、夜間の照明が稲の生育を妨げて収穫量を減少させることから、従来の街路灯が道路に近接した稲田をも明るく照明することが問題となっており、その対策として街路灯にタイマーを設けて、真夜中には街路灯を消灯させるという方策が採られていた。しかし、本実施の形態３に係る街路灯２０においては、上述したように道路Ｇに平行な方向のみを照明して、照明する必要のない道路Ｇに近接した稲田は照明しないのでこのような方策を採る必要もなく、一晩中点灯させることができる。
【００８１】
このようにして、本実施の形態３に係る照明装置としての街路灯２０においては、棒状の光源としてのツイン蛍光灯１２から放射される光を高効率で有効利用でき、設置コスト及びランニングコストを大幅に削減することができるとともに直接光が人の眼に入ることを確実に防止でき、更に照明する必要のない方向は照明しない理想的な街路灯となる。
【００８２】
更に、本実施の形態３に係る照明装置としての街路灯２０においては、図７，図８に示されるように、１対の反射鏡２３Ａ，２３Ｂの両方の下部を下方を向いた曲面としているために、下方がより明るく照明されるとともに、照明ボックス２５の底面をシールする透明アクリル板２５Ａを長方形にすることができ、虫類等が入らないようにするためのシールがより容易にできるという特有の作用効果が得られる。
【００８３】
なお、上記実施の形態１に係る街路灯１０の照明ボックス１５にも、本実施の形態３における反射板２４に相当する反射板を、１対の反射鏡３Ａ，３Ｂの間に必要な枚数だけ取付けることが可能であり、その場合には本実施の形態３と同様に、上方に向かう無駄な光を道路を照明するのに有効利用することができ、いわゆる「光害」をも抑制することができる。
【００８４】
実施の形態４
次に、本発明の実施の形態４に係る照明装置について、図１０乃至図１３を参照して説明する。図１０（ａ），（ｂ）は本発明の実施の形態４に係る照明装置としての街路灯の照明の原理を示す説明図である。図１１は本発明の実施の形態４に係る照明装置としての街路灯の全体構成を示す斜視図である。図１２は本発明の実施の形態４に係る照明装置としての街路灯の本体を示す底面図である。図１３（ａ）は本発明の実施の形態４に係る照明装置としての街路灯の照明の様子を示す平面図、（ｂ）は正面図である。
【００８５】
図１０（ａ），（ｂ）に示されるように、本実施の形態４に係る照明装置としての街路灯の主要部を構成する照明機構３０として、上記実施の形態１，２，３に係る照明機構１における１対の放物線を繋ぎ合わせた反射面の代わりに、１対の放物線を繋ぎ合わせた曲線を直線で近似した反射面を用いている。すなわち、照明機構３０として、図１０（ａ）において、中心線Ｃ２に対して角度αを有する１対の直線Ｓ１，Ｓ２及び１対の直線Ｓ３，Ｓ４をそれぞれ組み合わせた、図１０（ｂ）に示される反射面Ｍ３，Ｍ４を有する反射鏡３３Ａ，３３Ｂを用いている。
【００８６】
図１０（ａ）に示されるように、中心線Ｃ１と中心線Ｃ２の交点をＦ２として、この交点Ｆ２から直線Ｓ１，Ｓ２及び直線Ｓ３，Ｓ４に直線を引いた場合の反射線は、矢印で示されるように全て平行にはならずに拡がりを有するが、角度αが１５度〜４０度の範囲内の場合、より好ましくは角度αが２０度〜３０度の範囲内の場合には、この拡がりはさほど大きなものではなく、充分に実用的な照明機構３０となる。
【００８７】
この照明機構３０を応用したのが、図１１乃至図１３に示される本実施の形態４に係る照明装置としての街路灯３１である。図１１に示されるように、本実施の形態４に係る照明装置としての街路灯３１は、高さ約４．５ｍの支柱９の上端に図１０（ｂ）に示される照明機構３０を中心としてなる照明ボックス３５を固定したものである。図１１に示されるように、照明ボックス３５は、棒状の光源２として直管の蛍光灯を垂直に配置し、反射鏡３３Ａ，３３Ｂとしてアルミニウム板の片面を研磨して反射面として、図１０（ｂ）に示される形状及び角度（本実施の形態４においては角度α＝２３度）に屈曲させたものを用いている。
【００８８】
照明ボックス３５の上下には、棒状の光源としての直管の蛍光灯２の両端の口金を固定するとともに電流を供給する蛍光灯ソケット６Ａ，６Ｂが設けられており、照明ボックス３５の上部に設けられた配電部７の中には、直管の蛍光灯２を点灯させるためのグローランプ、周囲が暗くなったことを感知してグローランプのスイッチを入れる光センサ８、これらを作動させるための配線等が設けられており、照明ボックス３５に外部から電力を供給する図示しない電力ケーブルが支柱９を介して接続されている。
【００８９】
照明ボックス３５の１対の反射鏡３３Ａ，３３Ｂの左右の開口部（光放射部）は、道路に略平行になるように設置されている。また、左右の開口部及び底面は、光透過率の高い透明アクリル板３５Ａでシールされており、雨水等の内部への侵入を防ぐとともに、昆虫類等の小さい虫類が光に引き寄せられて内部に侵入するのを防止している。
【００９０】
また、図１２の底面図に示されるように、照明ボックス３５は、上部に設けられた配電部７の配電カバー７Ａの背面に固定された２本の金属棒９Ａ（うち１本は重なって図示されない）によって、支柱９の上端に固定されている。そして、１対の反射鏡３３Ａ，３３Ｂの間の底面も光透過率の高い透明アクリル板３５Ａでシールされているため、照明ボックス３５の真下方向にも直管の蛍光灯２からの放射光や反射鏡３３Ａ，３３Ｂで反射された反射光が放射される。
【００９１】
このような構成を有する本実施の形態４に係る照明装置としての街路灯３１においては、夕暮れになって周囲が暗くなると、光センサ８が暗くなったことを感知して配電部７の中のグローランプのスイッチが入り、グローランプが点滅して直管の蛍光灯２が点灯する。すると、図１３（ａ）の平面図に示されるように、街路灯３１から道路Ｇに平行な方向を中心として、上記街路灯１０，１１，２０よりはやや拡がりをもって照明されるが、自動車が通行する道路Ｇの中央や道路Ｇの外側の宅地や田畑等の照明する必要のない場所は、少ししか照明されない。
【００９２】
また、図１３（ｂ）の正面図に示されるように、照明ボックス３５の底面も透明になっているため、街路灯３１の下方の部分も充分に照明される。そして、街路灯３１の正面は反射鏡３３Ａで覆われているために、直接光が正面に照射されることがなく、自動車のドライバー等の眼に直接光が入って眩しくなるという事態が確実に防止される。
【００９３】
そして街路灯３１においては、直管の蛍光灯２から放射される光の大部分を有効利用しているため、上記実施の形態１，２，３に係る街路灯１０，１１，２０には及ばないものの、道路Ｇに平行な方向を遠方まで照明することができ、従来の街路灯よりも設置間隔を拡大することができる。したがって、街路灯３１は従来の街路灯よりも設置本数を減らすことができ、設置コスト及びランニングコストを削減することができる。
【００９４】
このようにして、本実施の形態４に係る照明装置としての街路灯３１においては、棒状の光源としての直管の蛍光灯２から放射される光を高効率で有効利用でき、設置コスト及びランニングコストを削減することができるとともに直接光が人の眼に入ることを確実に防止でき、更に照明する必要のない場所は殆ど照明しない優れた街路灯となる。
【００９５】
本実施の形態４においては、棒状の光源として、上記実施の形態１と同様に直管の蛍光灯２を用いた場合について説明したが、上記実施の形態２，３と同様にコンパクト蛍光灯としてのツイン蛍光灯１２やその他のコンパクト蛍光灯を光源とすることもできる。この場合には、上記実施の形態２，３と同様に、街路灯の真下をより明るく照明でき、反射鏡の長さが短くなって製造コストを低減できるという作用効果が得られる。
【００９６】
また、本実施の形態４に係る街路灯３１の照明ボックス３５にも、上記実施の形態３における反射板２４に相当する反射板を、１対の反射鏡３３Ａ，３３Ｂの間に必要な枚数だけ取付けることが可能であり、その場合には上記実施の形態３と同様に、上方に向かう無駄な光を道路を照明するのに有効利用することができ、いわゆる「光害」をも抑制することができる。
【００９７】
以上の実施の形態１乃至実施の形態４においては、配電部７の配電カバー７Ａに光センサ（ＰＤ，フォトダイオード）８を設けて、周囲が暗くなったのをこの光センサ８で感知して棒状の光源２，１２を自動点灯させる方式の街路灯１０，１１，３０について説明したが、光センサとしては、フォトダイオードに限らず硫化カドミウム（ＣｄＳ）を用いたもの等の他の光センサを使用しても良いし、自動点灯式でなく手動で点灯・消灯させる方式とすることもできる。
【００９８】
実施の形態５
次に、本発明の実施の形態５に係る照明装置について、図１４及び図１５を参照して説明する。図１４は本発明の実施の形態５に係る照明装置としての室内照明装置の全体構造及び照明の原理を示す縦断面図である。図１５は本発明の実施の形態５に係る照明装置としての室内照明装置の全体構造を示す底面図である。
【００９９】
図１４に示されるように、本実施の形態５に係る照明装置としての室内照明装置４０は、上記実施の形態１において説明した照明機構１を中心として構成されている。すなわち、棒状の光源２は直管の蛍光灯であり、１対の反射鏡３Ａ，３Ｂはアルミニウム板の片面を研磨して反射面として、所定の形状に湾曲させたものを用いている。本実施の形態５に係る室内照明装置４０においては、これらの直管の蛍光灯２及び１対の反射鏡３Ａ，３Ｂをそれらの長手方向が略水平になるように配置している。
【０１００】
すなわち、本実施の形態５に係る室内照明装置４０においては、天井Ｔに設けられた１対の斜面４１を有する凹部内に、照明機構１を水平に配置して、図１４に実線で示されるように、照明機構１から左右に略水平に放射される直管の蛍光灯２からの直接光及び１対の反射鏡３Ａ，３Ｂによる反射光を、鏡面ではない通常の天井板からなる１対の斜面４１で乱反射させることによって、図１４に破線で示されるように室内の広い範囲を柔らかい乱反射光で間接照明することができる。
【０１０１】
そして、図１５の底面図で示されるように、直管の蛍光灯２の下面は１対の反射鏡３Ａ，３Ｂのうち下側の反射鏡３Ａで覆われているために、室内にいる人の眼に直管の蛍光灯２からの直接光が入る恐れはない。
【０１０２】
なお、必要に応じて、１対の斜面４１の表面粗さを調節することによって、または１対の斜面４１を形成する材質を選択することによって、図１４に破線で示される乱反射光の強さを調節することができ、間接照明の明るさを調節することができる。また、１対の斜面４１の傾斜角度を調節することによって、図１４に破線で示される乱反射光の照射範囲を調節することができる。
【０１０３】
このようにして、本実施の形態５に係る室内照明装置４０においては、壁面から離れた室内の中央部をも、広い範囲に亘って必要な明るさで間接照明することができ、かつ、室内にいる人の眼に光源からの直接光が入る恐れがない。
【０１０４】
なお、本実施の形態５に係る室内照明装置４０においては、棒状の光源として直管の蛍光灯２を使用した場合について説明したが、ツイン蛍光灯、Ｕ字形蛍光灯を始めとするコンパクト蛍光灯を用いることもできる。この場合には、棒状の光源の長さも１対の反射鏡の長さも約半分になるため、天井Ｔに設ける凹部のスペースを節約できるという作用効果が得られる。
【０１０５】
上記各実施の形態においては、棒状の光源としてグロースタータ式の直管の蛍光灯２またはグロースタータ式のコンパクト蛍光灯としてのツイン蛍光灯１２を用いた場合について説明したが、他の棒状の光源、例えばラピッドスタート型の直管の蛍光灯またはラピッドスタート型のツイン蛍光灯・Ｕ字形蛍光灯を始めとするコンパクト蛍光灯、ＬＥＤ等を列状に配設したもの、或いは水銀灯、そしてインバーターを用いた高周波点灯蛍光管、等を用いることもできる。
【０１０６】
また、上記各実施の形態においては、１対の反射鏡としてアルミニウム板の片面を研磨して鏡面としたものを所定の断面形状に湾曲・屈曲させたものを用いた場合について説明したが、１対の反射鏡としてはこれに限られるものではなく、アルミニウム以外の銅・真鍮・ステンレス等の金属板を鏡面研磨したものを用いることもできる。
【０１０７】
また、１対の反射鏡として、プラスチックを所定の断面形状に成形して反射面をメッキ加工することによって鏡面としたものを用いることもでき、更には照明ボックスのうちの１対の反射鏡を含む筐体の部分をプラスチックで成形して、１対の反射鏡の反射面をメッキ加工することによって鏡面としたものを用いることもできる。そして、１対の反射鏡として、所定の断面形状とした通常の鏡を用いることもできる。
【０１０８】
更に、上記各実施の形態においては、１対の反射鏡の反射面の断面がその一部を形成する１対の放物線が互いに対称に配置された場合、すなわち１対の放物線の中心軸が略１８０度をなす場合についてのみ説明したが、１対の放物線の中心軸が略１８０度よりも小さい角度をなすようにすることもできる。
【０１０９】
一例として、図１６に示される照明機構について説明する。図１６（ａ），（ｂ）は本発明に係る照明装置において、１対の反射鏡の反射面の断面がその一部を形成する１対の放物線の中心軸が略１２０度をなす場合における照明装置の照明の原理を示す説明図である。図１６（ａ）に示される１対の放物線Ｈ３，Ｈ４は、その中心軸Ｃ３，Ｃ４が角度１２０度をなし、互いの焦点Ｆ３を共有している。この場合にも、焦点Ｆ３から出射して放物線Ｈ３，Ｈ４で反射した光は、中心軸Ｃ３，Ｃ４にそれぞれ平行な平行光線となって、互いに１２０度の角度をなして出射する。
【０１１０】
この原理を応用した図１６（ｂ）に示される照明機構４４においては、軸中心が焦点Ｆ３に位置する棒状の光源２から放射された光のうち、焦点Ｆ３から放射されたように見える光は、図１６（ａ）の放物線Ｈ３，Ｈ４をその一方の交点Ｋ３で繋ぎ合わせた反射面Ｍ５を有する反射鏡４３Ａ、及び放物線Ｈ３，Ｈ４を他方の交点Ｋ４で繋ぎ合わせた反射面Ｍ６を有する反射鏡４３Ｂによって、互いに１２０度の角度をなす平行光線Ｌ７，Ｌ８として両側から放射される。
【０１１１】
上述した図１（ｂ）に示される照明機構１の場合と同様に、棒状の光源２は大きさを有するため照明機構４４においても全ての光が平行光線Ｌ７，Ｌ８とはならないが、大部分の光が平行光線Ｌ７，Ｌ８に近い方向に放射されて、拡がって放射される光の量は少ない。このような照明機構４４の用途として、例えば、道路がカーブまたは屈曲している位置に設置される街路灯がある。
【０１１２】
すなわち、道路のカーブまたは屈曲の方向が略１２０度の方向であれば、照明機構４４を用いた街路灯によって、道路沿いの部分の両方を遠方まで照明することができる。道路のカーブまたは屈曲の程度に合わせて、照明機構４４の元となる図１６（ａ）に示される１対の放物線Ｈ３，Ｈ４の中心軸Ｃ３，Ｃ４のなす角度を１８０度〜９０度の範囲内で調整することによって、棒状の光源の光利用効率の良い街路灯とすることができる。
【０１１３】
本発明を実施するに際しては、照明装置のその他の部分の構成、構造、形状、材質、数量、大きさ、製造方法等についても、上記各実施の形態に限定されるものではない。
【０１１４】
また、上記各実施の形態において挙げている数値は、臨界値を示すものではなく、実施に好適な好適値を示すものであるから、上記数値を若干変更してもその実施を否定するものではない。
【図面の簡単な説明】
【０１１５】
【図１】図１（ａ），（ｂ）は本発明の実施の形態１に係る照明装置としての街路灯の照明の原理を示す説明図である。
【図２】図２は本発明の実施の形態１に係る照明装置としての街路灯の全体構成を示す斜視図である。
【図３】図３は本発明の実施の形態１に係る照明装置としての街路灯の本体の全体構成を示す底面図である。
【図４】図４（ａ）は本発明の実施の形態１に係る照明装置としての街路灯の照明の様子を示す平面図、（ｂ）は正面図である。
【図５】図５は本発明の実施の形態２に係る照明装置としての街路灯の全体構成を示す斜視図である。
【図６】図６は本発明の実施の形態２に係る照明装置としての街路灯の本体を示す底面図である。
【図７】図７は本発明の実施の形態３に係る照明装置としての街路灯の全体構成を示す斜視図である。
【図８】図８は本発明の実施の形態３に係る照明装置としての街路灯の本体の内部を示す部分縦断面図である。
【図９】図９（ａ）は本発明の実施の形態３に係る照明装置としての街路灯の照明の様子を示す平面図、（ｂ）は正面図である。
【図１０】図１０（ａ），（ｂ）は本発明の実施の形態４に係る照明装置としての街路灯の照明の原理を示す説明図である。
【図１１】図１１は本発明の実施の形態４に係る照明装置としての街路灯の全体構成を示す斜視図である。
【図１２】図１２は本発明の実施の形態４に係る照明装置としての街路灯の本体を示す底面図である。
【図１３】図１３（ａ）は本発明の実施の形態４に係る照明装置としての街路灯の照明の様子を示す平面図、（ｂ）は正面図である。
【図１４】図１４は本発明の実施の形態５に係る照明装置としての室内照明装置の全体構造及び照明の原理を示す縦断面図である。
【図１５】図１５は本発明の実施の形態５に係る照明装置としての室内照明装置の全体構造を示す底面図である。
【図１６】図１６（ａ），（ｂ）は本発明に係る照明装置において、１対の反射鏡の反射面の断面がその一部を形成する１対の放物線の中心軸が略１２０度をなす場合における照明装置の照明の原理を示す説明図である。
【符号の説明】
【０１１６】
１，３０，４４  照明機構
２，１２  棒状の光源
３Ａ，３Ｂ，１３Ａ，１３Ｂ，２３Ａ，２３Ｂ，３３Ａ，３３Ｂ，４３Ａ，４３Ｂ  反射鏡
５，１５，２５，３５  照明ボックス
１０，１１，２０，３１，４０  照明装置
２４  反射板
Ｆ，Ｆ１，Ｆ３  焦点
Ｈ１，Ｈ２，Ｈ３，Ｈ４  放物線
【図１】
2008262717.tif 000003
【図２】
2008262717.tif 000004
【図３】
2008262717.tif 000005
【図４】
2008262717.tif 000006
【図５】
2008262717.tif 000007
【図６】
2008262717.tif 000008
【図７】
2008262717.tif 000009
【図８】
2008262717.tif 000010
【図９】
2008262717.tif 000011
【図１０】
2008262717.tif 000012
【図１１】
2008262717.tif 000013
【図１２】
2008262717.tif 000014
【図１３】
2008262717.tif 000015
【図１４】
2008262717.tif 000016
【図１５】
2008262717.tif 000017
【図１６】
2008262717.tif 000018